(57)【要約】【課題】設定風量に応じた変動風を出す扇風機において、設定風量によらずに風の変動感をしっかり感じることで、快適感を向上させることを目的とする。【解決手段】風量設定スイッチ４は、大風量ノッチと小風量ノッチとを有し、前記大風量ノッチ回転数の中で最も大きい回転数と、前記大風量ノッチ回転数の中で最も小さい回転数との差は、前記小風量ノッチ回転数の中で最も大きい回転数と、前記小風量ノッチ回転数の中で最も小さい回転数との差より大きいという構成にしたことにより、風量の小さいときには小さな風速変化幅に、風量の大きいときには大きな風速変化幅になり、変動する風の最大と最小の割合が保たれるため、風量の違いによらずに一定の快適感を得られる。【選択図】図２
2014105609.tif 000002
【特許請求の範囲】
【請求項１】
本体と、この本体に設けられたモータ部と、このモータによって回転する羽根部と、この羽根部によって送風される風量の大きさを設定する風量設定スイッチと、前記モータ部の回転数を制御する制御手段とから構成し、前記風量設定スイッチは、大風量ノッチと小風量ノッチとを有し、前記大風量ノッチ時の回転数は、少なくとも３種類の大風量ノッチ回転数からなり、前記小風量ノッチ時の回転数は、少なくとも３種類の小風量ノッチ回転数からなり、前記制御手段は、前記大風量ノッチの場合には、前記大風量ノッチ回転数を所定時間内において時系列的に切り替え、前記小風量ノッチの場合には、前記小風量ノッチ回転数を所定時間内において時系列的に切り替え、前記大風量ノッチの風量は、前記小風量ノッチの風量より大きく、前記大風量ノッチ回転数の中で最も大きい回転数と、前記大風量ノッチ回転数の中で最も小さい回転数との差は、前記小風量ノッチ回転数の中で最も大きい回転数と、前記小風量ノッチ回転数の中で最も小さい回転数との差より大きいことを特徴とする扇風機。
【請求項２】
前記大風量ノッチ回転数の種類の数は、前記小風量ノッチ回転数の種類の数より大きいことを特徴とする請求項１に記載の扇風機。
【請求項３】
前記大風量ノッチ回転数の中で最も小さい回転数から前記大風量ノッチ回転数を順次並べた場合に、隣り合う回転数との差は、最も小さい回転数と、この最も小さい回転数と隣り合う回転数との差が最も大きいことを特徴とする請求項１または２に記載の扇風機。
【請求項４】
前記大風量ノッチの場合に、前記大風量ノッチ回転数を所定時間内において時系列的に切り替える回数は、前記小風量ノッチの場合に、前記小風量ノッチ回転数を所定時間内において時系列的に切り替える回数より小さいことを特徴とする請求項１から３のいずれかに記載の扇風機。
【発明の詳細な説明】
【技術分野】
【０００１】
本発明は、設定風量に応じた変動風を出す扇風機に関するものである。
【背景技術】
【０００２】
従来、この種の扇風機は、気流速を周辺温度に依存させて送風制御するものが知られている（例えば、特許文献１参照）。
【０００３】
以下、その送風制御方法について図３を参照しながら説明する。
【０００４】
この扇風機では、ファンを回転させるモータと、このモータの回転数をある保持時間だけ保持したのち次々と別の回転数へ切り替えてゆく回転数制御部と、周辺温度を検出する温度検出部を備え、前記回転数制御部はファンの回転数またはその回転によって生じる風速を時間的に変化させることによる振幅パワーの周波数スペクトル分布が、その周波数に反比例する送風パターンで送風制御し、かつ、図３に示すように送風パターンにおける回転数または風速の時間的平均値は、周囲温度が高い時ほど大きくなるようにしたものである。
【先行技術文献】
【特許文献】
【０００５】
【特許文献１】特開昭６３−２６３２９８号公報
【発明の概要】
【発明が解決しようとする課題】
【０００６】
このような従来の扇風機においては、周辺温度に応じて回転数または風速の時間的平均値を上げるという構成となっていたので、変動風のパターンは風量別に用意されるのではなく、同じパターンを風量の小さい場合も大きい場合も使用することとなり、設定風量が大きい場合と小さい場合で感じる風の変動感が異なることにより、風量が大きくなると、風の変動感を感じづらくなり、快適感を損なうという課題を有していた。
【０００７】
そこで本発明は、上記従来の課題を解決するものであり、設定風量によらずに風の変動感をしっかり感じることで、快適感を向上した扇風機を提供することを目的とする。
【課題を解決するための手段】
【０００８】
そして、この目的を達成するために、本発明は、本体と、この本体に設けられたモータ部と、このモータによって回転する羽根部と、この羽根部によって送風される風量の大きさを設定する風量設定スイッチと、前記モータ部の回転数を制御する制御手段とから構成し、前記風量設定スイッチは、大風量ノッチと小風量ノッチとを有し、前記大風量ノッチ時の回転数は、少なくとも３種類の大風量ノッチ回転数からなり、前記小風量ノッチ時の回転数は、少なくとも３種類の小風量ノッチ回転数からなり、前記制御手段は、前記大風量ノッチの場合には、前記大風量ノッチ回転数を所定時間内において時系列的に切り替え、前記小風量ノッチの場合には、前記小風量ノッチ回転数を所定時間内において時系列的に切り替え、前記大風量ノッチの風量は、前記小風量ノッチの風量より大きく、前記大風量ノッチ回転数の中で最も大きい回転数と、前記大風量ノッチ回転数の中で最も小さい回転数との差は、前記小風量ノッチ回転数の中で最も大きい回転数と、前記小風量ノッチ回転数の中で最も小さい回転数との差より大きいことを特徴とする扇風機としたものであり、これにより所期の目的を達成するものである。
【発明の効果】
【０００９】
本発明によれば、本体と、この本体に設けられたモータ部と、このモータによって回転する羽根部と、この羽根部によって送風される風量の大きさを設定する風量設定スイッチと、前記モータ部の回転数を制御する制御手段とから構成し、前記風量設定スイッチは、大風量ノッチと小風量ノッチとを有し、前記大風量ノッチ時の回転数は、少なくとも３種類の大風量ノッチ回転数からなり、前記小風量ノッチ時の回転数は、少なくとも３種類の小風量ノッチ回転数からなり、前記制御手段は、前記大風量ノッチの場合には、前記大風量ノッチ回転数を所定時間内において時系列的に切り替え、前記小風量ノッチの場合には、前記小風量ノッチ回転数を所定時間内において時系列的に切り替え、前記大風量ノッチの風量は、前記小風量ノッチの風量より大きく、前記大風量ノッチ回転数の中で最も大きい回転数と、前記大風量ノッチ回転数の中で最も小さい回転数との差は、前記小風量ノッチ回転数の中で最も大きい回転数と、前記小風量ノッチ回転数の中で最も小さい回転数との差より大きいことという構成にしたことにより、風量の小さいときには小さな風速変化幅に、風量の大きいときには大きな風速変化幅となるので、風量の違いによらず変動する風の最大と最小の割合が保たれるため、風の変動感を風量によらずに感じることができ、快適感を向上させるという効果を得ることができる。
【図面の簡単な説明】
【００１０】
【図１】本発明の実施の形態１の扇風機の概略図
【図２】同扇風機の送風パターンを示す概念図
【図３】従来の扇風機の送風パターンを示す概略図
【発明を実施するための形態】
【００１１】
本発明の請求項１記載の扇風機は、本体と、この本体に設けられたモータ部と、このモータによって回転する羽根部と、この羽根部によって送風される風量の大きさを設定する風量設定スイッチと、前記モータ部の回転数を制御する制御手段とから構成し、前記風量設定スイッチは、大風量ノッチと小風量ノッチとを有し、前記大風量ノッチ時の回転数は、少なくとも３種類の大風量ノッチ回転数からなり、前記小風量ノッチ時の回転数は、少なくとも３種類の小風量ノッチ回転数からなり、前記制御手段は、前記大風量ノッチの場合には、前記大風量ノッチ回転数を所定時間内において時系列的に切り替え、前記小風量ノッチの場合には、前記小風量ノッチ回転数を所定時間内において時系列的に切り替え、前記大風量ノッチの風量は、前記小風量ノッチの風量より大きく、前記大風量ノッチ回転数の中で最も大きい回転数と、前記大風量ノッチ回転数の中で最も小さい回転数との差は、前記小風量ノッチ回転数の中で最も大きい回転数と、前記小風量ノッチ回転数の中で最も小さい回転数との差より大きいことを特徴とする扇風機という構成を有する。これにより、風量の小さいときには小さな風速変化幅となり、風量の大きいときには大きな風速変化幅となるので、風量の違いによらず変動する風の最大と最小の割合が保たれるため、風の変動感を風量によらずに感じることができ、快適感を向上させるという効果を奏する。
【００１２】
また、前記大風量ノッチ回転数の種類の数は、前記小風量ノッチ回転数の種類の数より大きいことを特徴とする請求項１に記載の扇風機という構成にしてもよい。これにより、風量の大きいときには風量の小さいときよりも風量の変動幅が大きくなるものの、その変動の幅を小刻みに変化することが出来るようになるので、風量の変動幅が大きくても風量の変化を滑らかに変えることが出来るため、唐突感の少ない変化の仕方ができるようになり、快適感を向上させるという効果を奏する。
【００１３】
また、前記大風量ノッチ回転数の中で最も小さい回転数から前記大風量ノッチ回転数を順次並べた場合に、隣り合う回転数との差は、最も小さい回転数と、この最も小さい回転数と隣り合う回転数との差が最も大きいことを特徴とする請求項１または２に記載の扇風機  という構成にしても良い。これにより、時系列的に回転数が切り替わる中で、段階的に切り替わる回転数の低い側の回転数が飛び出て低い格好  となるので、段階的に切り替わる回転数の中で飛び出て低い回転数が入ることで、風に対する感覚の慣れを防ぎ、風が吹き始める感覚を何度も体感することで、風の変動感を感じやすくさせ、快適感を向上させるという効果を奏する。
【００１４】
また、前記大風量ノッチの場合に、前記大風量ノッチ回転数を所定時間内において時系列的に切り替える回数は、前記小風量ノッチの場合に、前記小風量ノッチ回転数を所定時間内において時系列的に切り替える回数より小さいことを特徴とする請求項１から３のいずれかに記載の扇風機という構成にしてもよい。これにより、風量変化の小さい変化は早く来て、大きい変化はゆっくり来ることとなるので、一定したゆらぎの快適感を得るという効果を奏する。
【００１５】
以下、本発明の実施の形態について図面を参照しながら説明する。
【００１６】
（実施の形態１）
図１に示すように、扇風機は、本体１と、この本体１の上部には、モータ部２と、このモータ部２によって回転する羽根部３とを備えている。本体１の下部には、風量設定スイッチ４、および制御手段５を備えている。風量設定スイッチ４は、大風量ノッチと小風量ノッチとを有している。制御手段５は、これらのノッチに応じて、モータ部２の回転数を制御するものである。つまり、羽根部３によって送風される風量は、本体１に設けられた風量設定スイッチ４によって決まるものである。
【００１７】
具体的には、大風量ノッチを選べば、大風量ノッチの複数の回転数による変動風が送風される。これらの大風量ノッチの回転数は、第１の大風量ノッチ回転数と、第２の大風量ノッチ回転数と、第３の大風量ノッチ回転数と、第４の大風量ノッチ回転数とからなる。同様に、小風量ノッチを選べば、小風量ノッチの複数の回転数による変動風が送風される。これらの小風量ノッチの回転数は、第１の小風量ノッチ回転数と、第２の小風量ノッチ回転数と、第３の小風量ノッチ回転数とからなる。
【００１８】
制御手段は、大風量ノッチの場合には、第１の大風量ノッチ回転数と、第２の大風量ノッチ回転数と、第３の大風量ノッチ回転数と、第４の大風量ノッチ回転数とを所定時間内において時系列的に切り替える。同様に、小風量ノッチの場合には、第１の小風量ノッチ回転数と、第２の小風量ノッチ回転数と、第３の小風量ノッチ回転数とを所定時間内において時系列的に切り替える。
【００１９】
ここで、大風量ノッチの風量は、小風量ノッチの風量より大きく、第１の大風量ノッチ回転数は、第２の大風量ノッチ回転数より大きい。第２の大風量ノッチ回転数は、第３の大風量ノッチ回転数より大きく、第３の大風量ノッチ回転数は、第４の大風量ノッチ回転数より大きい。第１の小風量ノッチ回転数は、第２の小風量ノッチ回転数より大きく、第２の小風量ノッチ回転数は、第３の小風量ノッチ回転数より大きい。第１の大風量ノッチ回転数と第４の大風量ノッチ回転数との差は、第１の小風量ノッチ回転数と第３の小風量ノッチ回転数との差より大きいものである。
【００２０】
すなわち、この扇風機の変動風の送風パターンは、図２に示すように大風量ノッチ回転数の中で最も大きい回転数と、大風量ノッチ回転数の中で最も小さい回転数との差は、小風量ノッチ回転数の中で最も大きい回転数と、小風量ノッチ回転数の中で最も小さい回転数との差より大きいものである。
【００２１】
このような構成によれば、風量設定スイッチにより選ばれた風量が大きくなるにつれて、変動する送風パターンの中での最大風量と最小風量の差が大きくなることにより、風量の小さいときには小さな風量変化幅に、風量の大きいときには大きな風量変化幅になるので、風量の違いによらず変動する風の最大と最小の割合が保たれ、風の変動感を風量によらずに感じることができ、快適感を向上することができる。また、人間の感じる涼しい感覚というものは、変動する風の中でも最大風速に依存するため、変動パターンの中で最大風量の部分を残し、それより小さい風量の部分を、大風量ノッチの時に小風量ノッチの場合よりも最大と最小の差を多く下げることにより、身体を冷やしすぎずに涼しさを感じさせることが出来る。
【００２２】
なお、実施の形態において、図２に示すように大風量ノッチ回転数の種類の数を小風量ノッチ回転数の数より大きいこととしても良い。具体的には、大風量ノッチの場合には、第１の大風量ノッチ回転数と、第２の大風量ノッチ回転数と、第３の大風量ノッチ回転数と、第４の大風量ノッチ回転数である４種類を有し、小風量ノッチの場合には、第１の小風量ノッチ回転数と、第２の小風量ノッチ回転数と、第３の小風量ノッチ回転数である３種類を有する。
【００２３】
このような構成によれば、風量の大きいときには風量の小さいときよりも風量の変動幅が大きくなるものの、その変動の幅を小刻みに変化することができることにより、滑らかな風量変化となり、唐突感の少ない変化の仕方が出来るようになり、快適感を向上することができる。
【００２４】
なお、実施の形態において、大風量ノッチ回転数の中で最も小さい回転数から大風量ノッチ回転数を順次並べた場合に、隣り合う回転数との差は、最も小さい回転数と、この最も小さい回転数と隣り合う回転数の差が最も大きいこととしても良い。  具体的には、第４の大風量ノッチ回転数と第３の大風量ノッチ回転数との差が、第３の大風量ノッチ回転数と第２の大風量ノッチ回転数との差、および第２の大風量ノッチ回転数と第１の大風量ノッチ回転数との差より大きいものである。
【００２５】
このような構成によれば、回転数同士の差を低回転数では大きく取ることにより、時系列的に回転数が切り替わる中で、段階的に切り替わる回転数の低い側の回転数が飛び出て低い格好となり、飛び出て低い回転数が入ることで、風に対する感覚の慣れを防ぎ、風が吹き始める感覚を何度も体感することで、風の変動感を感じやすくさせ、快適感を向上させることができる。
【００２６】
なお、実施の形態において、図２に示すように大風量ノッチの場合に、前記大風量ノッチ回転数を所定時間内において時系列的に切り替える回数は、前記小風量ノッチの場合に、前記小風量ノッチ回転数を所定時間内において時系列的に切り替える回数より小さいことを特徴としても良い。
【００２７】
このような構成によれば、大風量ノッチの場合は回転数変化がゆっくりと起こり、小風量ノッチの場合はせわしなく回転数変化が起こることにより、風量変化の小さい変化は早く来て、大きい変化はゆっくり来ることとなり、ｆ分の１理論に則った一定したゆらぎの快適感を得ることができる。
【産業上の利用可能性】
【００２８】
本発明にかかる扇風機は、変動風において設定風量の違いによらずに風の変動感を感じることにより快適感の向上を可能とするものであるので、気流感により快適性を向上させる目的で使用される扇風機等として有用である。
【符号の説明】
【００２９】
１  本体
２  モータ部
３  羽根部
４  風量設定スイッチ
５  制御手段
【図１】
2014105609.tif 000003
【図２】
2014105609.tif 000004
【図３】
2014105609.tif 000005